(57)【要約】【課題】  本発明は加齢や怪我・病気で自立歩行に杖のみでは不安を覚える人々が、安全に自立・自主的生活・歩行運動・移動・積極的外出（買い物等）が、自己意識通りに行ない得るに有効なる機能を保有する自主自立歩行補助カートを提供する。【解決手段】  体位保護枠内に座位で休憩ができ、更に座位で横向き姿勢での作業・移動が自由・容易に行なえるよう、開閉式片支持座席の端部を車輪付き支持柱で床面より保持する手段として、支持アームとリンク機構の組み合わせにより、座席の手動持ち上げにより立位歩行運動空間を拡げ得る構成である。【選択図】    図１
2006192241.tif 000002
【特許請求の範囲】
【請求項１】
体位保護枠内に開閉式座席を有する歩行補助用車において、開閉式座席部を左右いずれかの片方向のみとし、その片支持座板部の先端域に車輪付き座板支持柱部を具備することとし、座席板水平時には支柱部車輪が後部車輪間で接床し、座席板荷重を支持するよう座席座板部の手動開閉作動に伴い、車輪付き支柱部を座席板支持部より下部に設けた可動アームのリンク機構により、支柱車輪を着床状態や保護枠側に近接状に位置付けし得るよう構成し、歩行運動空間の確保並びに着座移動・介助移動・着座横向き作業・座位休憩等を、体位保護枠内で自在に行ない得ることを特徴とした歩行補助用カート。
【請求項２】
体位支持枠の前部域に医療機器類等の重量物を同伴移動または運搬し得るよう、車輪付き荷台部を開閉構造で設けること、並びに荷物・買い物篭等を運搬し得る開閉式荷受け台部を有し、荷物運搬買い物用カートとしての機能を有することを特徴とした前記特許請求項１記載の歩行補助用カート。
【発明の詳細な説明】
【技術分野】
【０００１】  本発明は身体の高齢化や障害によって自立歩行に不安を覚える人々に自立生活期間の保持・継続を支援する手段として、健康の維持・機能回復に必要な機器類の同伴移動や、日常の歩行運動や家事・買い物に役立つ歩行補助カートに関する。
【背景技術】
【０００２】  医療・介護・生活福祉向上に用いられる歩行補助車は開閉式の休憩できる座席の装着により安心・安全性が高まり、介助者の負担を軽減し、自主的歩行運動を可能とし、利便性が向上し生活に役立っている。しかし、更に改善すべき課題として医療用透析装置や電源等の同伴移動や、買い物篭や手荷物等の物品運搬が同時にできること、座席装置を簡便化し製造コストの低減を図ること、未使用時に収納する場所の占拠面積を少なくすること等が求められる。
【発明の開示】
【発明が解決しようとする課題】
【０００３】  本発明は座席装置付き歩行補助車の基本構成を活用し、歩行運動の補助・支援のみならず、保管収容にも便利な構造とすること、並びに体位両側よりの開閉座席装置を片側のみとし、取り扱いの容易性とコストの低減を行ない、更に体位保護枠の前域にトランクや買い物篭等、荷物の運搬に役立つ機能を開閉的に設け、使用者の歩行・移動を補助する歩行補助機能に加え、医療機器・電源・ボンベ等の重量物の搬送や、買い物用カートとしての機能を具備することにある。
【課題を解決するための手段】
【０００４】  本発明の第１は４輪開閉座席付き歩行補助車において、座席装置を片座席として構成するものであり、片座席の安定支持手段として、第５の車輪付き支柱を座席板先端部に位置付けし、座席の開閉にともない座席支柱と車輪が着床または保護枠側部に確実に位置付し得るよう、可動アームとリンク機構利用により手動で自在に車輪付き支持柱部を位置付けし得る片支持座席補強装置である。【０００５】  第２の発明は上記歩行補助車において保護枠前方域に呼吸器系・循環器系の治療に必要な電源や、荷物の運搬や買い物篭を配備し得る開閉式の荷受け台部を開閉的車輪付受け台部として装着したことにある。
【発明の効果】
【０００６】  体位支持枠の左右に開閉式座席を有する歩行補助車の座席部を左右いずれかの片座席とすれば、製造コストの低減を図ることができる。更に片座席の端部に空間域を設けることにより、横方向作業に必要な体位の変換が座席を跨ぐことなく枠内の出入りとが容易に行なえることになる。【０００７】  更に座席端部を車輪付き支柱部で支持することにより、着座加重に対する強度が高まるとともに、着座姿勢の移動や緊急時の介助移動も支持柱車輪を自在旋回車輪付きとすれば、小回り旋回も自在に行なえる。【０００８】  保護枠前部に開閉式荷受け台部を設けることによれば、重量の大きな医療機器（例えば人工心肺・人工透析装置や電源・酸素ボンベ等）の重量機器の搬送が同伴的に移動時にも使用することができることになる。【０００９】  本発明の機器は更に自立歩行の困難な高齢者・障害者が安心して使用できる買い物用カートとしても活用でき、早期のリハビリティションにも役立つことになる。【００１０】  以上のごとく機能の多用化による本発明機器は屋内の使用のみならず、屋外（買い物等）でも活用可能なことから、自立活動を積極的に支援し生活資質を希望的日常生活に転換し、日常生活事態に活動性・活性化をもたらし、自立生活促進に役立ち寝たきり重症要介護者率の低減に効果を有する歩行支援機器である。
【発明を実施するための最良の形態】
【００１１】  本発明の実施例を図において説明すると次のごとくである。【００１２】  図１に示すごとく主枠（１）の開閉式座席部（２）を片方向のみとし、座席長さ（３）を長くすることにより、図２に示すごとく座位姿勢（４）が保持され、同時に座席部先端（５）と他方の枠（６）間に脚部が通過し得る空間域（７）が形成される。したがって枠内の出入りや座位での作業姿勢（特に横向き）が容易となる。【００１３】  しかし一般的に長座席構造は座席支持部に荷重量に伴い大きな応力が発生するので、これに対応するため支持部材の強度が必要となり、必然的に構造部材が大きく重くなる欠点が知られている。【００１４】  本発明はこの欠点を回避・解決する手段として長座席（３）の端域（５）を支柱（８）によって床面より支持する手段を用いている。更に支柱接床部（９）に自在旋回車輪（１０）を設けることで座位荷重に対応するとともに、移動や旋回を自在とした構成である。【００１５】  即ち支柱車輪を定位置に確実に位置付けすることと、不使用時には座席を持ち上げる作用で座席枠支持部（１１）側に座板を近接させ、歩行運動空間が形成し得るよう下枠部（１２）より平板状の支持アーム（１３）を支柱車輪の上部に取り付けし、座席の持ち上げ作用に同期的に可動するよう、リンク機構を用いて座板支持車輪（１０）の位置付けを行なっている。【００１６】  したがって座席の枠支持部（１１）より座席端の支柱取り付け部（５）までの長さに床面に接床する支柱長さの合計によって車輪付き支持柱の位置付けが行なわれる。【００１７】  座席板部の上下開閉作動で歩行空間形成と座席部荷重支持車輪位置付けの役割が確実に行なわれるのである。【００１８】  更に下枠（１４）前部に開閉構造の荷物受け台部（１５）を主輪（１６）（１６′）を配備し必要に応じて水平状とし使用すれば、医療機材や電源等重量を有する機材や荷物を、使用者と同伴的に移動することができる。
【図面の簡単な説明】
【００１９】
【図１】本発明を上部より見た構成説明図。
【図２】後部より見た構成説明図。
【図３】側部より見た構成説明図
【符号の説明】
【００２０】１…主枠
２…座席部
３…座席長さ
４…座位姿勢（臀部）
５…座席端部
６…他方の枠部
７…空間域
８…支持柱
９…接床部
１０…自在旋回車輪
１１…座席枠支持部
１２…下枠支持部
１３…支持アーム
１４…下枠
１５…開閉式荷物受台部
１６…荷受台用車輪
１６′…荷受台用車輪
１７…開閉式足乗台
１８…介助用把手
１９…床面
２０…買い物篭台」
【図１】
2006192241.tif 000003
【図２】
2006192241.tif 000004
【図３】
2006192241.tif 000005